Podtech/llm-jp-corpus-v4-ja_patent huggingface dataset:
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
対象におけるK-Ras発現癌を治療するための、治療的な量の白血病抑制因子（LIF）に拮抗する薬剤を含む薬学的組成物。
【請求項２】
K-Ras発現癌が膵臓癌、結腸直腸癌、または肺癌である、請求項1記載の薬学的組成物。
【請求項３】
K-Ras発現癌が膵臓癌である、請求項1または2記載の薬学的組成物。
【請求項４】
膵臓癌が膵管腺癌である、請求項2または3記載の薬学的組成物。
【請求項５】
LIFに拮抗する薬剤が抗LIF抗体である、請求項1〜4のいずれか一項記載の薬学的組成物。
【請求項６】
抗LIF抗体がモノクローナル抗体である、請求項5記載の薬学的組成物。
【請求項７】
抗LIF抗体が、Fab、F(ab')2、およびFvからなる群より選択される抗体断片である、請求項5記載の薬学的組成物。
【請求項８】
LIFに拮抗する薬剤が経口投与されるか、静脈内投与されるか、または腹腔内投与される、請求項1〜7のいずれか一項記載の薬学的組成物。
【請求項９】
化学療法剤と併用される、請求項1〜8のいずれか一項記載の薬学的組成物。
【請求項１０】
化学療法剤がゲムシタビンである、請求項9記載の薬学的組成物。
【請求項１１】
LIFに拮抗する薬剤および化学療法剤が同時に投与される、請求項9または10記載の薬学的組成物。
【請求項１２】
LIFに拮抗する薬剤および化学療法剤が連続的に投与される、請求項9または10記載の薬学的組成物。
【請求項１３】
対象における膵臓癌を治療するための、治療的な量の白血病抑制因子（LIF）に拮抗する薬剤を含む薬学的組成物。
【請求項１４】
膵臓癌が膵管腺癌である、請求項13記載の薬学的組成物。
【請求項１５】
LIFに拮抗する薬剤が抗LIF抗体である、請求項13または14記載の薬学的組成物。
【請求項１６】
抗LIF抗体がモノクローナル抗体である、請求項15記載の薬学的組成物。
【請求項１７】
抗LIF抗体が、Fab、F（ab'）2、およびFvからなる群より選択される抗体断片である、請求項15記載の薬学的組成物。
【請求項１８】
LIFに拮抗する薬剤が経口投与されるか、静脈内投与されるか、または腹腔内投与される、請求項13〜17のいずれか一項記載の薬学的組成物。
【請求項１９】
化学療法剤と併用される、請求項13〜18のいずれか一項記載の薬学的組成物。
【請求項２０】
化学療法剤がゲムシタビンである、請求項19記載の薬学的組成物。
【請求項２１】
LIFに拮抗する薬剤および化学療法剤が同時に投与される、請求項19または20記載の薬学的組成物。
【請求項２２】
LIFに拮抗する薬剤および化学療法剤が連続的に投与される、請求項19または20記載の薬学的組成物。
【請求項２３】
白血病抑制因子（LIF）に拮抗する薬剤および化学療法剤を含む、K-Ras発現癌を治療するためのキット。
【請求項２４】
LIFに拮抗する薬剤が抗LIF抗体である、請求項23記載のキット。
【請求項２５】
抗LIF抗体がモノクローナル抗体である、請求項24記載のキット。
【請求項２６】
化学療法剤がゲムシタビンである、請求項23〜25のいずれか一項記載のキット。
【手続補正２】
【補正対象書類名】明細書
【補正対象項目名】００１４
【補正方法】変更
【補正の内容】
【００１４】
さらにもう一つの局面において、癌の処置のための医薬の製造のための、LIFに拮抗する薬剤を含む組成物の使用が提供される。いくつかの態様において、癌はK-Ras発現癌（例えば、野生型K-Rasを発現する癌または変異型K-Rasを発現する癌）である。いくつかの態様において、癌は膵臓癌、結腸直腸癌、または肺癌である。いくつかの態様において、LIFに拮抗する薬剤を含む組成物は、化学療法剤をさらに含む。いくつかの態様において、化学療法剤はゲムシタビンである。
[本発明1001]
白血病抑制因子（LIF）に拮抗する薬剤の治療的な量を対象へ投与する工程を含む、対象におけるK-Ras発現癌を処置する方法。
[本発明1002]
K-Ras発現癌が膵臓癌、結腸直腸癌、または肺癌である、本発明1001の方法。
[本発明1003]
K-Ras発現癌が膵臓癌である、本発明1001または1002の方法。
[本発明1004]
膵臓癌が膵管腺癌である、本発明1001〜1003のいずれかの方法。
[本発明1005]
LIFに拮抗する薬剤が抗LIF抗体である、本発明1001〜1004のいずれかの方法。
[本発明1006]
抗LIF抗体がモノクローナル抗体である、本発明1005の方法。
[本発明1007]
抗LIF抗体が、Fab、F(ab')2、およびFvからなる群より選択される抗体断片である、本発明1005の方法。
[本発明1008]
LIFに拮抗する薬剤が経口投与されるか、静脈内投与されるか、または腹腔内投与される、本発明1001〜1007のいずれかの方法。
[本発明1009]
LIFに拮抗する薬剤が化学療法剤と組み合わせて投与される、本発明1001〜1008のいずれかの方法。
[本発明1010]
化学療法剤がゲムシタビンである、本発明1009の方法。
[本発明1011]
LIFに拮抗する薬剤および化学療法剤が同時に投与される、本発明1009または1010の方法。
[本発明1012]
LIFに拮抗する薬剤および化学療法剤が連続的に投与される、本発明1009または1010の方法。
[本発明1013]
白血病抑制因子（LIF）に拮抗する薬剤の治療的な量を対象へ投与する工程を含む、対象における膵臓癌を処置する方法。
[本発明1014]
膵臓癌が膵管腺癌である、本発明1013の方法。
[本発明1015]
LIFに拮抗する薬剤が抗LIF抗体である、本発明1013または1014の方法。
[本発明1016]
抗LIF抗体がモノクローナル抗体である、本発明1015の方法。
[本発明1017]
抗LIF抗体が、Fab、F（ab'）2、およびFvからなる群より選択される抗体断片である、本発明1015の方法。
[本発明1018]
LIFに拮抗する薬剤が経口投与されるか、静脈内投与されるか、または腹腔内投与される、本発明1013〜1017のいずれかの方法。
[本発明1019]
LIFに拮抗する薬剤が化学療法剤と組み合わせて投与される、本発明1013〜1018のいずれかの方法。
[本発明1020]
化学療法剤がゲムシタビンである、本発明1019の方法。
[本発明1021]
LIFに拮抗する薬剤および化学療法剤が同時に投与される、本発明1019または1020の方法。
[本発明1022]
LIFに拮抗する薬剤および化学療法剤が連続的に投与される、本発明1019または1020の方法。
[本発明1023]
LIFに拮抗する薬剤および化学療法剤を含む、K-Ras発現癌を処置するためのキット。
[本発明1024]
LIFに拮抗する薬剤が抗LIF抗体である、本発明1023のキット。
[本発明1025]
抗LIF抗体がモノクローナル抗体である、本発明1024のキット。
[本発明1026]
化学療法剤がゲムシタビンである、本発明1023〜1025のいずれかのキット。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
式（Ｉｃ）の構造を有する化合物、
【化１】
2017527590.tif 000001
またはその薬学的に許容可能な塩であって、
ここで、
Ｒ１は、水素、ハロゲン、−ＯＨ、−ＯＲ５、−Ｎ（Ｒ５）２、アルキル、カルボシクリル、ヘテロシクリル、アリール、ヘテロアリール、カルボシクリルアルキル、ヘテロシクリルアルキル、アラルキル、またはヘテロアリールアルキルであり、
Ｒ２は、アルキル、カルボシクリル、ヘテロシクリル、アリール、ヘテロアリール、カルボシクリルアルキル、ヘテロシクリルアルキル、アラルキル、またはヘテロアリールアルキルであり、
Ｒ３は水素であり、
Ｒ４は、水素、Ｃ１−Ｃ４アルキル、Ｃ１−Ｃ４アルケン、Ｃ１−Ｃ４アルキン、ハロゲン、または−ＣＮであり、および、
Ｒ５はそれぞれ独立して、水素、アルキル、カルボシクリル、ヘテロシクリル、アリール、ヘテロアリール、カルボシクリルアルキル、ヘテロシクリルアルキル、アラルキル、またはヘテロアリールアルキルである、化合物またはその薬学的に許容可能な塩。
【請求項２】
Ｒ２はアルキルである、請求項１に記載の化合物またはその薬学的に許容可能な塩。
【請求項３】
Ｒ２はメチルである、請求項１または２に記載の化合物またはその薬学的に許容可能な塩。
【請求項４】
Ｒ２はカルボシクリルまたはカルボシクリルアルキルである、請求項１に記載の化合物またはその薬学的に許容可能な塩。
【請求項５】
Ｒ２は−（Ｃ１−Ｃ６アルキレン）カルボシクリルである、請求項４に記載の化合物またはその薬学的に許容可能な塩。
【請求項６】
カルボシクリルは、ハロゲン、ヒドロキシ、−ＣＮ、アルキル、アルコキシ、アルキルアミノ、アリール、カルボシクリル、ヘテロシクリル、カルボシクリルアルキル、およびヘテロシクリルアルキルから選択される１つ以上の基で随意に置換された１，２，３，４−テトラヒドロナフチルである、請求項４または５に記載の化合物またはその薬学的に許容可能な塩。
【請求項７】
（Ｃ１−Ｃ６アルキレン）はＣ１アルキレンまたはＣ２アルキレンである、請求項６に記載の化合物またはその薬学的に許容可能な塩。
【請求項８】
Ｒ２はヘテロシクリルまたはヘテロシクリルアルキルである、請求項１に記載の化合物またはその薬学的に許容可能な塩。
【請求項９】
Ｒ２はヘテロアリールまたはヘテロアリールアルキルである、請求項１に記載の化合物またはその薬学的に許容可能な塩。
【請求項１０】
Ｒ２はアリールまたはアラルキルである、請求項１に記載の化合物またはその薬学的に許容可能な塩。
【請求項１１】
アラルキルは−（Ｃ１−Ｃ６アルキレン）アリールである、請求項１０に記載の化合物またはその薬学的に許容可能な塩。
【請求項１２】
アリールは、ハロゲン、ヒドロキシ、−ＣＮ、アルキル、アルコキシ、アルキルアミノ、アリール、カルボシクリル、ヘテロシクリル、カルボシクリルアルキル、およびヘテロシクリルアルキルから選択される１つ以上の基で随意に置換されたフェニルである、請求項１０または１１に記載の化合物またはその薬学的に許容可能な塩。
【請求項１３】
（Ｃ１−Ｃ６アルキレン）はＣ１アルキレンまたはＣ２アルキレンである、請求項１２に記載の化合物またはその薬学的に許容可能な塩。
【請求項１４】
アリールは、ハロゲン、ヒドロキシ、−ＣＮ、アルキル、アルコキシ、アルキルアミノ、アリール、カルボシクリル、ヘテロシクリル、カルボシクリルアルキル、およびヘテロシクリルアルキルから選択される１つ以上の基で随意に置換されたナフチルである、請求項１０または１１に記載の化合物またはその薬学的に許容可能な塩。
【請求項１５】
（Ｃ１−Ｃ６アルキレン）はＣ１アルキレンまたはＣ２アルキレンである、請求項１４に記載の化合物またはその薬学的に許容可能な塩。
【請求項１６】
Ｒ１は水素またはアリールである、請求項１−１５のいずれか１つに記載の化合物またはその薬学的に許容可能な塩。
【請求項１７】
Ｒ１は水素である、請求項１６に記載の化合物またはその薬学的に許容可能な塩。
【請求項１８】
Ｒ１はアリールである、請求項１６に記載の化合物またはその薬学的に許容可能な塩。
【請求項１９】
アリールは、ハロゲン、ヒドロキシ、−ＣＮ、アルキル、アルコキシ、−Ｏ−（シクロアルキルアルキル）、アルキルアミノ、アリール、カルボシクリル、ヘテロシクリル、カルボシクリルアルキル、およびヘテロシクリルアルキルから選択される１つ以上の基で随意に置換されたフェニルである、請求項１８に記載の化合物またはその薬学的に許容可能な塩。
【請求項２０】
フェニルは、ハロゲン、アルコキシ、または−Ｏ−（シクロアルキルアルキル）から選択される１つ以上の基で置換される、請求項１９に記載の化合物またはその薬学的に許容可能な塩。
【請求項２１】
Ｒ４は水素である、請求項１−２０のいずれかに記載の化合物またはその薬学的に許容可能な塩。
【請求項２２】
Ｒ４は−ＣＮである、請求項１−２０のいずれかに記載の化合物またはその薬学的に許容可能な塩。
【請求項２３】
Ｒ４はＣ１−Ｃ４アルケンまたはＣ１−Ｃ４アルキンである、請求項１−２０のいずれかに記載の化合物またはその薬学的に許容可能な塩。
【請求項２４】
Ｒ４はハロゲンである、請求項１−２０のいずれかに記載の化合物またはその薬学的に許容可能な塩。
【請求項２５】
Ｒ４はＣ１−Ｃ４アルキルである、請求項１−２０のいずれかに記載の化合物またはその薬学的に許容可能な塩。
【請求項２６】
Ｒ４はＣ１−Ｃ４アルキルであり、アルキルは、少なくとも１つのフルオロで置換される、請求項２５に記載の化合物またはその薬学的に許容可能な塩。
【請求項２７】
Ｒ４はＣＨ２Ｆ、ＣＨＦ２、またはＣＦ３である、請求項２６に記載の化合物またはその薬学的に許容可能な塩。
【請求項２８】
Ｒ４はＣＦ３である、請求項２７に記載の化合物またはその薬学的に許容可能な塩。
【請求項２９】
請求項１−２８のいずれかに記載の化合物、またはその薬学的に許容可能な塩、および、少なくとも１つの薬学的に許容可能な賦形剤を含む、医薬組成物。
【請求項３０】
請求項１−２８のいずれかの化合物にヒストンデメチラーゼ酵素を接触させる工程を含む、ヒストンデメチラーゼ酵素を阻害する方法。
【請求項３１】
被験体の癌を処置するための薬物の製造における、請求項１−２８のいずれかの化合物またはその薬学的に許容可能な塩を含む組成物の使用。
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
皮膚上の局所適用のための不織布膜であって、ポリマーナノ繊維と、前記不織布膜の総重量に対して２５〜８０重量％の量で含まれる活性剤とを含み、
ａ）  前記活性剤が好適な生体適合性溶媒系に可溶であり、
ｂ）  前記不織布膜は、前記活性剤が完全に可溶化される適切な量の前記好適な生体適合性溶媒系と前記不織布膜とが接触した後３０分間で、前記不織布膜中に含まれる前記活性剤の総重量の７０％以上の量を放出することができ、
ｃ）  前記活性剤の総量が前記不織布膜の前記ポリマーナノ繊維の外側に配置されている、不織布膜。
【請求項２】
好適な生体適合性溶媒系中に可溶である第２の活性剤をさらに含み、前記不織布膜は、前記第２活性剤が完全に可溶化される適切な量の前記好適な生体適合性溶媒系と接触すると直ちに前記第２の活性剤を放出することができる、請求項１に記載の不織布膜。
【請求項３】
前記ポリマーナノ繊維が電界紡糸ナノ繊維である、請求項１又は２に記載の不織布膜。
【請求項４】
前記不織布膜の該ポリマーナノ繊維が５０〜２０００ｎｍの平均直径を有する、請求項１〜３のいずれかに記載の不織布膜。
【請求項５】
前記ポリマーナノ繊維が、ポリグリコール酸、ポリ−Ｄ，Ｌ−乳酸、ポリ−Ｄ，Ｌ−ラクチド−コ−グリコリド、ポリカプロラクトン、ポリジオキサノン、ポリビニルアルコール、コラーゲン、セルロース、ヒアルロン酸、ポリアミド、ポリエステル、ポリウレタン、ポリプロピレン、エラステイン、およびそれらの組み合わせから選択される１つ以上のポリマーを含む、請求項１〜４のいずれかに記載の不織布膜。
【請求項６】
前記活性剤が、前記不織布膜の総重量に対して３０〜７０重量％の量を構成する、請求項１〜５のいずれかに記載の不織布膜。
【請求項７】
前記活性剤が治療薬および／または化粧剤である、請求項１〜６のいずれかに記載の不織布膜。
【請求項８】
前記活性剤がレスベラトロールまたはビタミンＣである、請求項１〜７のいずれかに記載の不織布膜。
【請求項９】
前記活性剤が、完全に可溶化される適切な量の前記好適な生体適合性溶媒系と前記不織布膜とが接触する３０分の期間中に、前記不織布膜中に含まれる前記活性剤の総重量の７０％以上の量を放出することができる、請求項１〜８のいずれかに記載の不織布膜。
【請求項１０】
請求項１〜９のいずれかで定義する不織布膜の調製法であって、以下のステップ、すなわち、
ａ）  １つ以上の生体適合性ポリマーの好適な溶媒系での溶液を調製するステップと、
ｂ）  前記活性剤の好適な溶媒系での溶液を調製するステップであって、その溶媒系ではステップａ）由来の１つもしくは複数の該ポリマーが不溶である、該ステップと、
ｃ）  ステップａ）由来の溶液を電界紡糸することと同時に、ステップｂ）由来の溶液を、ステップｂ）由来の溶液の流速にて適切な時間スプレーして、該不織布膜の総重量に対して２５重量％〜８０重量％の量で前記活性剤を含む不織布膜を得る、ステップと、
ｄ）  任意に、ステップｃ）から得られた該不織布膜を乾燥するステップと、
を含む、方法。
【請求項１１】
請求項１〜９のいずれか一項で定義する不織布膜と、前記不織布膜の前記活性剤を接触時に可溶化させることができる好適な生体適合性溶媒系とを含む、キット。
【請求項１２】
前記生体適合性溶媒系が、水、エタノール、エチレングリコール、プロピレングリコール、ブチレングリコール、ジエチレングリコール、テトラエチレングリコール、１，２，３−プロパントリオール（グリセリン）、ベンジルアルコール、カプリン酸／カプリル酸、植物油、鉱油、獣脂のトリグリセリド、それらのフラクションおよび混合物からなる群から選択される１つ以上の溶媒を含む、請求項１１に記載のキット。
【請求項１３】
該生体適合性溶媒系が、１つ以上の適切な局所賦形剤または担体をさらに含む局所組成物の一部である、請求項１１又は１２に記載のキット。
【請求項１４】
前記局所組成物が、液体、ゲル、ペースト、クリーム、エマルジョン、ローション、フォーム、スプレー、パッチおよびスティックからなる群から選択される、請求項１３に記載のキット。
【請求項１５】
請求項１〜９のいずれか一項で定義される不織布膜を含む化粧用品または衛生用品。
【請求項１６】
前記活性剤が治療薬である、皮膚の疾患、障害または異常な状態の治療で使用するための、請求項１〜９のいずれか一項で定義する不織布膜。
【請求項１７】
請求項１６に記載の不織布膜を含んでなる、化粧用品または衛生用品。
【請求項１８】
前記皮膚の疾患、障害または異常状態が、蜂巣炎、座瘡、皮膚の老化、色素過剰、角化症、ふけ、いぼ、光損傷を受けた皮膚、慢性皮膚病、乾燥、魚鱗癬、創傷治癒およびウイルス、真菌または細菌に起因する皮膚感染症からなる群から選択されるものである、請求項１６に記載の不織布膜。
【請求項１９】
請求項１〜９のいずれかに記載の不織布膜であって、
前記活性剤が、スキンケア用の薬剤としての化粧剤であり、前記スキンケアが、以下の症状、すなわち老化、シワ、肌のシミ、セルライト、皮膚の欠陥、粗さ、スケーリング、脱水、歪み、ひび割れおよび弾力性の欠如の少なくとも１つを改善するものであり、その結果、当該不織布膜は化粧目的での使用に適している、ことを特徴とする不織布膜。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
式Ｉ：Ｘ１−ＮＭｅＶａｌ−Ｘ４−Ｌｅｕ−Ｍｅｔ−Ｚ（式Ｉ）のペプチド模倣物であって、
前記ペプチド模倣物は５〜１０個のアミノ酸からなり、
Ｘ１は、１〜６個の天然または非天然のアミノ酸残基、および任意でＮ末端のキャッピング部分または修飾、のストレッチであり、
ＮＭｅＶａｌは、Ｎ−メチル−バリン残基またはＮ−メチル−Ｄ−バリン残基であり、
Ｘ４は、ｎが２〜６である−ＮＨ（ＣＨ２）ｎ−ＣＯ−であり、
Ｚは、アミド化、アシル化、還元化またはエステル化されていてもよいペプチドのＣ末端を表す、
ペプチド模倣物。
【請求項２】
Ｘ１は、Ｌ配置またはＤ配置の少なくとも１つの芳香族アミノ酸残基を含む、請求項１に記載のペプチド模倣物。
【請求項３】
Ｘ１は、少なくとも１つの負電荷（酸性）アミノ酸残基を含む、請求項１に記載のペプチド模倣物。
【請求項４】
Ｘ１は、芳香族残基と負電荷（酸性）残基とＮ末端キャッピング部分とを含む２個または３個のアミノ酸残基からなる、請求項１に記載のペプチド模倣物。
【請求項５】
Ｘ１は、脂肪族アミノ酸残基および極性非荷電残基から選択される残基を含む、請求項４に記載のペプチド模倣物。
【請求項６】
Ｘ１は、Ｐｈｅ、ＤＰｈｅ、ＴｒｐおよびＤＴｒｐからなる群より選択される芳香族残基と、ＧｌｕおよびＡｓｐから選択される負電荷（酸性）残基と、スクシニル（Ｓｕｃｃ）Ｎ末端キャッピング部分と、を含む、請求項１に記載のペプチド模倣物。
【請求項７】
Ｘ１は、ＰｈｅおよびＤＴｒｐから選択される芳香族残基と、Ａｓｐ残基と、スクシニル（Ｓｕｃｃ）Ｎ末端キャッピング部分と、任意でＩｌｅおよびＳｅｒから選択される残基と、を含む、請求項１に記載のペプチド模倣物。
【請求項８】
前記ペプチド模倣物は式ＩＩ：Ｘ１−ＮＭｅＶａｌ−βＡｌａ−Ｌｅｕ−Ｍｅｔ−ＮＨ２（式ＩＩ）のものであり、Ｘ１は、Ｓｕｃｃ−Ａｓｐ−Ｐｈｅ、Ｓｕｃｃ−Ａｓｐ−ＤＰｈｅ、Ｓｕｃｃ−Ａｓｐ−Ｔｒｐ、Ｓｕｃｃ−Ａｓｐ−ＤＴｒｐ、Ｓｕｃｃ−Ａｓｐ−Ｉｌｅ−Ｐｈｅ、Ｓｕｃｃ−Ａｓｐ−Ｉｌｅ−ＤＰｈｅ、Ｓｕｃｃ−Ａｓｐ−Ｉｌｅ−Ｔｒｐ、Ｓｕｃｃ−Ａｓｐ−Ｉｌｅ−ＤＴｒｐ、Ｓｕｃｃ−Ａｓｐ−Ｓｅｒ−Ｐｈｅ、Ｓｕｃｃ−Ａｓｐ−Ｓｅｒ−ＤＰｈｅ、Ｓｕｃｃ−Ａｓｐ−Ｓｅｒ−Ｔｒｐ、Ｓｕｃｃ−Ａｓｐ−Ｓｅｒ−ＤＴｒｐ、Ｓｕｃｃ−Ｇｌｕ−Ｐｈｅ、Ｓｕｃｃ−Ｇｌｕ−ＤＰｈｅ、Ｓｕｃｃ−Ｇｌｕ−Ｔｒｐ、Ｓｕｃｃ−Ｇｌｕ−ＤＴｒｐ、Ｓｕｃｃ−Ｇｌｕ−Ｉｌｅ−Ｐｈｅ、Ｓｕｃｃ−Ｇｌｕ−Ｉｌｅ−ＤＰｈｅ、Ｓｕｃｃ−Ｇｌｕ−Ｉｌｅ−Ｔｒｐ、Ｓｕｃｃ−Ｇｌｕ−Ｉｌｅ−ＤＴｒｐ、Ｓｕｃｃ−Ｇｌｕ−Ｓｅｒ−Ｐｈｅ、Ｓｕｃｃ−Ｇｌｕ−Ｓｅｒ−ＤＰｈｅ、Ｓｕｃｃ−Ｇｌｕ−Ｓｅｒ−Ｔｒｐ、およびＳｕｃｃ−Ｇｌｕ−Ｓｅｒ−ＤＴｒｐからなる群より選択される、請求項１に記載のペプチド模倣物。
【請求項９】
配列：ＮＭｅＶａｌ−βＡｌａ−Ｌｅｕ−Ｍｅｔ（配列番号７）を含む５〜１０個のアミノ酸残基からなる、請求項１に記載のペプチド模倣物。
【請求項１０】
前記ペプチド模倣物は、配列番号７の配列と、少なくとも１つの芳香族アミノ酸残基と、少なくとも１つの負電荷アミノ酸残基と、脂肪族アミノ酸残基および極性非荷電残基から選択される少なくとも１つの残基と、キャッピングされたＮ末端と、を含む、請求項９に記載のペプチド模倣物。
【請求項１１】
前記ペプチド模倣物は、
Ｓｕｃｃ−Ａｓｐ−Ｉｌｅ−Ｐｈｅ−Ｎ（Ｍｅ）Ｖａｌ−βＡｌａ−Ｌｅｕ−Ｍｅｔ−ＮＨ２（配列番号１）、
Ｓｕｃｃ−Ａｓｐ−Ｐｈｅ−Ｎ（Ｍｅ）Ｖａｌ−βＡｌａ−Ｌｅｕ−Ｍｅｔ−ＮＨ２（配列番号２）、
Ｓｕｃｃ−Ａｓｐ−Ｓｅｒ−Ｐｈｅ−Ｎ（Ｍｅ）Ｖａｌ−βＡｌａ−Ｌｅｕ−Ｍｅｔ−ＮＨ２（配列番号３）、
Ｓｕｃｃ−Ａｓｐ−Ｉｌｅ−Ｄ−Ｔｒｐ−Ｎ（Ｍｅ）Ｖａｌ−βＡｌａ−Ｌｅｕ−Ｍｅｔ−ＮＨ２（配列番号４）、
Ｓｕｃｃ−Ａｓｐ−Ｄ−Ｔｒｐ−Ｎ（Ｍｅ）Ｖａｌ−βＡｌａ−Ｌｅｕ−Ｍｅｔ−ＮＨ２（配列番号５）、および
Ｓｕｃｃ−Ａｓｐ−Ｓｅｒ−Ｄ−Ｔｒｐ−Ｎ（Ｍｅ）Ｖａｌ−βＡｌａ−Ｌｅｕ−Ｍｅｔ−ＮＨ２（配列番号６）、
からなる群より選択され、ここでＳｕｃｃはスクシニルを表す、請求項１に記載のペプチド模倣物。
【請求項１２】
請求項１〜１１のいずれか１項に記載のペプチド模倣物を含む組成物。
【請求項１３】
少なくとも１種の許容される担体、希釈剤、塩または賦形剤を含む医薬組成物の形態であるか、あるいは少なくとも１種の栄養素、および任意で少なくとも１種の食物添加物、を含む食物組成物の形態である、請求項１２に記載の組成物。
【請求項１４】
頭頂内投与、経口投与、および浸漬による投与からなる群より選択される経路による魚への投与あるいは通常の食物または水の摂取の一部としての魚への投与のために製剤化された、請求項１３に記載の医薬組成物。
【請求項１５】
魚の生殖または成熟の少なくとも１つのパラメータの阻害に使用するための、請求項１〜１１のいずれか１項に記載のペプチド模倣物または請求項１２〜１４のいずれか１項に記載の組成物。
【請求項１６】
魚の生殖または成熟の少なくとも１つのパラメータの阻害は、発情期を遅延させるか排除すること、早発性の発情期を遅延させるか排除すること、性決定を調節すること、性分化を調節すること、産卵、および、生殖と関係のあるホルモン依存的な問題またはプロセスを処置すること、からなる群より選択されるパラメータを含む、請求項１５に記載のペプチド模倣物または組成物。
【請求項１７】
魚の生殖または成熟の阻害は、処置される魚の重量を増加させる、請求項１６に記載のペプチド模倣物または組成物。
【請求項１８】
魚は、ティラピア、コイ、サケ、バス、ナマズおよびボラからなる群より選択される、請求項１５に記載のペプチド模倣物または組成物。
【請求項１９】
前記組成物は、非経口投与、経口投与、および浸漬による投与からなる群より選択される経路により魚に投与される、請求項１５に記載のペプチド模倣物または組成物。
【請求項２０】
前記食物組成物は、食物または水の摂取の一部として魚に投与される、請求項１５に記載のペプチド模倣物または組成物。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
電気永久磁石を有するリフターであって、
遮熱材（９）を備える底板（１０）によって底部で閉鎖された外部軸受構造（２、３）と、前記電気永久磁石のそれぞれの回路極（１）の底部で固定され、前記底板（１０）から突出している極片（５）とを備え、
前記極片（５）のそれぞれと、前記極片が固定された前記回路極（１）のそれぞれとの間に、気密空隙（１２）をさらに含むことを特徴とする、リフター。
【請求項２】
前記気密空隙（１２）の高さは、１〜４ｍｍであることを特徴とする、請求項１に記載のリフター。
【請求項３】
前記気密空隙（１２）は、前記極片（５）と前記回路極（１）との間に配置され、且つ、各回路極（１）において前記回路極自体よりサイズがわずかに小さい窓を備える、高温に耐える断熱材料の板（４）内に形成され、
前記極片（５）の上面及び／又は前記回路極（１）の下面に、前記断熱材料の板（４）を位置付けるための座部として機能することに適した外周凹部が設けられていることを特徴とする、請求項１又は２に記載のリフター。
【請求項４】
前記断熱材料の板（４）を形成している材料は、４５０℃〜８００℃の間で動作することに適し、３００ＭＰａ以上の圧縮抵抗及び０，１８〜０，３２Ｗ×ｍ−１×Ｋ−１の間の熱伝導率を有することを特徴とする、請求項３に記載のリフター。
【請求項５】
前記断熱材料の板（４）を形成している前記材料は、シリコーン樹脂を通して結合された白雲母シートから形成された積層材料であることを特徴とする、請求項４に記載のリフター。
【請求項６】
前記外周凹部は、幅７〜１２ｍｍ、高さ３〜６ｍｍである、請求項３〜５のいずれか１項に記載のリフター。
【請求項７】
前記外周凹部は、幅１０ｍｍ、高さ５ｍｍである、請求項３〜５のいずれか１項に記載のリフター。
【請求項８】
前記断熱材料の板（４）の下の前記極片（５）の間に配置されている、銅のヒートシンク（１３）をさらに含むことを特徴とする、請求項１〜７のいずれか１項に記載のリフター。
【請求項９】
各ヒートシンク（１３）は、２つの隣接する極片（５）の対向する側壁に沿って延在する一対の縦方向要素の間に配置されている、複数の横方向要素から形成されていることを特徴とする、請求項８に記載のリフター。
【請求項１０】
熱プローブを備える調整及び制御回路を備えることを特徴とする、請求項１〜９のいずれか１項に記載のリフター。
【請求項１１】
水分のあらゆる痕跡を除去するために、前記回路極（１）、前記極片（５）、及び前記断熱材料の板（４）が、少なくとも１５０℃の温度において取得され、
前記断熱材料の板（４）を圧縮して前記気密空隙（１２）の気密性のためのガスケットとして機能させるように充分に締められた取付ねじ（１１）をよって、前記極片（５）が前記回路極（１）上に固定されることを特徴とする、請求項３〜１０のいずれか１項に記載の電気永久磁石を有するリフターを製造する方法。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
断熱ガラスユニットにおいて、
外面および内面を有する第１の板ガラス、
外面および内面を有する第２の板ガラス、および
前記第１の板ガラスと前記第２の板ガラスの間に画成された第１の密封間隙、
を備え、
前記第１の密封間隙が、少なくとも１種類の断熱ガスまたはその混合物で満たされており、
前記第１の板ガラスと前記第２の板ガラスのいずれか１つ以上が、約０．７ｍｍ以下の厚さを有し、化学強化されている、断熱ガラスユニット。
【請求項２】
前記第１の板ガラスと前記第２の板ガラスの間に配置された第３の板ガラス、
前記第１の板ガラスと前記第３の板ガラスの間に画成された、少なくとも１種類の断熱ガスまたはその混合物で満たされた第２の密封間隙、および
前記第２の板ガラスと前記第３の板ガラスの間に画成された、少なくとも１種類の断熱ガスまたはその混合物で満たされた第３の密封間隙、
をさらに備え、
前記第３の板ガラスが、約０．７ｍｍ以下の厚さを有する、請求項１記載の断熱ガラスユニット。
【請求項３】
前記第３の板ガラスが化学強化されている、請求項２記載の断熱ガラスユニット。
【請求項４】
前記第１と第２の板ガラスの中間に第４の板ガラスをさらに備え、該第４の板ガラスが、約０．７ｍｍ以下の厚さを有し、化学強化されている、請求項１から３いずれか１項記載の断熱ガラスユニット。
【請求項５】
前記第１の板ガラス、前記第２の板ガラス、および前記第３の板ガラスのいずれか１つ以上が、電子ディスプレイ、バックライトユニット（ＢＬＵ）、導波路、導光板（ＬＧ）、およびタッチ機能表面のいずれか１つ以上を備える、請求項１から４いずれか１項記載の断熱ガラスユニット。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
哺乳動物の認知的健康及び／又は機能を向上、改善又は持続させるためのスペアミント抽出物組成物であって、主要な活性成分はロスマリン酸及び植物ポリフェノールである、組成物。
【請求項２】
哺乳動物の認知的健康及び／又は機能の低下を治療又は予防するためのスペアミント抽出物組成物であって、主要な活性成分はロスマリン酸及び植物ポリフェノールである、組成物。
【請求項３】
哺乳動物の気分を改善するためのスペアミント抽出物組成物であって、主要な活性成分はロスマリン酸及び植物ポリフェノールである、組成物。
【請求項４】
哺乳動物の睡眠を改善するためのスペアミント抽出物組成物であって、主要な活性成分はロスマリン酸及び植物ポリフェノールである、組成物。
【請求項５】
前記哺乳類はヒト又は伴侶動物である、請求項１乃至４のいずれか一項に記載の組成物。
【請求項６】
少なくとも８重量％のロスマリン酸を含む、請求項１乃至４のいずれか一項に記載の組成物。
【請求項７】
０．０１ｍｇ／ｋｇ／日〜５０ｍｇ／ｋｇ／日で前記哺乳動物に投与される、請求項１乃至４のいずれか一項に記載の組成物。
【請求項８】
６００ｍｇ／日〜９００ｍｇ／日の範囲の用量で前記哺乳動物に経口投与される、請求項１乃至４のいずれか一項に記載の組成物。
【請求項９】
一定の間隔で投与される、請求項１乃至４のいずれか一項に記載の組成物。
【請求項１０】
少なくとも１日１回投与される、請求項９に記載の組成物。
【請求項１１】
学習、実行機能、記憶、気分又は睡眠を改善する、請求項１に記載の組成物。
【請求項１２】
学習、実行機能、記憶、気分又は睡眠を維持する、請求項１または請求項２に記載の組成物。
【請求項１３】
生活の質を改善する、請求項１または請求項２に記載の組成物。
【請求項１４】
少なくとも４５日間毎日投与される、請求項２乃至４のいずれか一項に記載の組成物。
【請求項１５】
ストレスによって引き起こされる認知機能の障害を防止する、請求項２に記載の組成物。
【請求項１６】
活気、活力、エネルギー、又は覚醒を改善する、請求項３に記載の組成物。
【請求項１７】
活気、活力、エネルギー又は覚醒の前記改善は抑うつ、落込み、疲労又は嗜眠の増加がなく起こる、請求項１６に記載の組成物。
【請求項１８】
気分の改善はＰＯＭＳによって測定される、請求項３に記載の組成物。
【請求項１９】
睡眠潜時を短縮する、請求項４に記載の組成物。
【請求項２０】
入眠能力又は目覚め後の行動を改善する、請求項４に記載の組成物。
【請求項２１】
前記睡眠の改善はＬＳＥＱによって測定される、請求項４に記載の組成物。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
局所眼用の懸濁製剤であって、
ａ．式ＩＩ：
【化１】
2017527600.tif 000001
の第１活性物質もしくはこの医薬として許容される塩；
ｂ．ニコチン酸、ニコチンアミドもしくはビタミンＫまたはこれらの組み合わせである第２活性物質もしくはこの医薬として許容される塩；および
ｃ．１種以上の医薬として許容される賦形剤を含み、
前記第１活性物質もしくはこの医薬として許容される塩が、約０．００５％から約５．０％（ｗ／ｖ）で存在する、前記製剤。
【請求項２】
化合物−I：
【化２】
2017527600.tif 000002
を含む、請求項１に記載の製剤。
【請求項３】
約０．１％から約０．２％（ｗ／ｖ）の式ＩＩの化合物もしくはこの医薬として許容される塩を含む、請求項１に記載の製剤。
【請求項４】
約０．２％から約１．０％（ｗ／ｖ）の式ＩＩの化合物もしくはこの医薬として許容される塩を含む、請求項１に記載の製剤。
【請求項５】
第２活性物質が、ビタミンＫである、請求項１から４のいずれか一項に記載の製剤。
【請求項６】
第１活性物質もしくはこの医薬として許容される塩の粒子を含む、請求項１から５のいずれか一項に記載の製剤であって、前記粒子が１００ｎｍから１００μｍの平均粒径を有する、製剤。
【請求項７】
粒子が、２０μｍから９０μｍの平均粒径を有する、請求項６に記載の製剤。
【請求項８】
粒子が、３０μｍから６０μｍの平均粒径を有する、請求項６に記載の製剤。
【請求項９】
粒子が、１μｍから５μｍの平均粒径を有する、請求項６に記載の製剤。
【請求項１０】
粒子が、最大でも１５０ｎｍの平均粒径を有する、請求項６に記載の製剤。
【請求項１１】
粒子が、約３μｍ、約３０μｍ、約３５μｍもしくは約５０μｍの平均粒径を有する、請求項６に記載の製剤。
【請求項１２】
第２活性物質が、１０μＭ未満の量で存在する、請求項１から１１のいずれか一項に記載の医薬組成物。
【請求項１３】
第２活性物質が、約１μＭの量で存在する、請求項１２に記載の製剤。
【請求項１４】
第２活性物質が、約１μＭ、約２μＭ、約３μＭ、約４μＭ、または約５μＭの量で存在する、請求項１２に記載の製剤。
【請求項１５】
第２活性物質がビタミンＫであり、約０．００００１％から約０．０００１％（ｗ／ｖ）の量で存在する、請求項１２に記載の製剤。
【請求項１６】
１種以上の医薬として許容される賦形剤が、ヒドロキシプロピルメチルセルロース（ＨＰＭＣ）、カルボキシメチルセルロースおよびその塩、ならびにヒドロキシエチルセルロース（ＨＥＣ）から選択される、請求項１から１５のいずれか一項に記載の製剤。
【請求項１７】
１種以上の医薬として許容される賦形剤が、ＨＰＭＣならびにカルボキシメチルセルロースおよびその塩から選択される、請求項１６に記載の製剤。
【請求項１８】
１種以上の医薬として許容される賦形剤が、ＨＰＭＣおよびＨＥＣから選択される、請求項１６に記載の製剤。
【請求項１９】
ＨＥＣを約０．２％（ｗ／ｖ）の量で含む、請求項１６から１８のいずれか一項に記載の製剤。
【請求項２０】
ＨＰＭＣを約０．０８％（ｗ／ｖ）の量で含む、請求項１６から１８のいずれか一項に記載の製剤。
【請求項２１】
さらに、トロメタミンおよびグリセリンから選択される１種以上の賦形剤を含む、請求項１から２０のいずれか一項に記載の製剤。
【請求項２２】
トロメタミンを約０．６％（ｗ／ｖ）の量で含む、請求項２１に記載の製剤。
【請求項２３】
グリセリンを約２．０％（ｗ／ｖ）の量で含む、請求項２１に記載の製剤。
【請求項２４】
さらに、非イオン性液体ポリマーおよび親水性非イオン性界面活性剤から選択される１種以上の賦形剤を含む、請求項１から２３のいずれか一項に記載の製剤。
【請求項２５】
非イオン性液体ポリマーが、アルキルアリールポリエーテルアルコールタイプの非イオン性液体ポリマーである、請求項２４に記載の製剤。
【請求項２６】
アルキルアリールポリエーテルアルコールタイプの非イオン性液体ポリマーが、チロキサポールである、請求項２５に記載の製剤。
【請求項２７】
親水性非イオン性界面活性剤が、ポロキサマーである、請求項２４に記載の製剤。
【請求項２８】
さらに、ポリソルベート（Ｔｗｅｅｎ）８０およびポビドン（ＰＶＰ  Ｋ−２９／３２もしくはＫ−３０）から選択される１種以上の賦形剤を含む、請求項１から２７のいずれか一項に記載の製剤。
【請求項２９】
後眼部にアクセスするために適した医薬、および／または糖尿病性網膜症、加齢性黄斑変性症（ＡＭＤ）、病理的脈絡膜血管新生（ＣＮＶ）、病理的網膜血管新生、ブドウ膜炎、網膜静脈閉鎖、眼外傷、手術誘導性浮腫、手術誘導性血管新生、涙嚢胞黄斑浮腫、眼虚血、未熟児網膜症、コーツ病、鎌状赤血球網膜症および血管新生緑内障からなる群より選択される後眼部疾患を治療および／または緩和するために適した医薬の製造における、請求項１から２８のいずれか一項に記載の製剤の使用。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
消化管において局所的に形成されたアセトアルデヒドのヒスタミン放出作用を除去することによる、アルコールフラッシング反応およびアルコール誘発性過敏反応の予防および治療における使用のための遅延システイン放出医薬製剤。
【請求項２】
アルコールフラッシングが、顔面紅潮、皮膚温度の上昇、頻脈、拡張期血圧の低下によって特徴づけられる、アルコールフラッシング反応およびアルコール誘発性過敏反応の予防および治療における使用のための請求項１に記載の製剤。
【請求項３】
アルコール誘発性過敏反応が、アレルギー性鼻炎(花粉症)、アレルギー性結膜炎、アトピー性皮膚炎、好酸球性食道炎、アナフィラキシー、慢性気管支炎および慢性閉塞性肺疾患(COPD)から選ばれる、アルコールフラッシング反応およびアルコール誘発性過敏反応の予防および治療における使用のための請求項１または２に記載の製剤。
【請求項４】
システインが、L-システイン、D-システイン、N-アセチルシステインまたはシステインの任意の他の誘導体およびその任意の医薬的に許容される塩から選ばれる、アルコールフラッシング反応およびアルコール誘発性過敏反応の予防および治療における使用のための前記請求項のいずれかに記載の製剤。
【請求項５】
製剤が、内部構造、および内部構造を囲む錠剤材料の両方にシステインを含む、アルコールフラッシング反応およびアルコール誘発性過敏反応の予防および治療における使用のための前記請求項のいずれかに記載の製剤。
【請求項６】
製剤が、カプセルの形態であることを特徴とする、アルコールフラッシング反応およびアルコール誘発性過敏反応の予防および治療における使用のための前記請求項のいずれかに記載の製剤。
【請求項７】
アルコールの摂取の20分前または直後に、1〜2個の50〜200mgのL-システインを含有する遅延L-システイン放出カプセル剤を服用し、このような服用を1〜2時間間隔で、飲酒が継続している限り繰り返す投与計画を用いることを特徴とする、アルコールフラッシング反応およびアルコール誘発性過敏反応の予防および治療における使用のための請求項６に記載の製剤。
【請求項８】
食品または飲料にアルコールおよび/またはアセトアルデヒドが含まれている疑いがある場合に、食品または飲料の摂取の20分前または直後に、1〜2個の50〜200mgのL-システインを含有する遅延L-システイン放出カプセル剤を服用する投与計画を用いることを特徴とする、アルコールフラッシング反応およびアルコール誘発性過敏反応の予防および治療における使用のための請求項６に記載の製剤。
【請求項９】
食品または飲料にアルコールおよび/またはアセトアルデヒドが含まれている疑いがある場合に、食品または飲料の摂取前および/または摂取直後に、遅延放出なしで、100mg〜2gのL-システインを投与する投与計画を用いることを特徴とする、アルコールフラッシング反応およびアルコール誘発性過敏反応の予防および治療における使用のための請求項６に記載の製剤。
【請求項１０】
製剤が、ロゼンジ、チューインガムまたは任意の他の類似の製剤の形態であり、単独で、またはシステイン放出カプセルと共に用いられ、後者の場合、請求項に７〜９のいずれかに記載の投与計画にしたがって用いられることを特徴とする、アルコールフラッシング反応およびアルコール誘発性過敏反応の予防および治療における使用のための請求項１〜５のいずれかに記載の製剤。
【請求項１１】
アルコール、あるいはアルコールおよび/またはアセトアルデヒドを含む疑いのある飲料または食品を摂取する直前に、2〜3mgのL-システインを含有する遅延L-システイン放出ロゼンジ、チューインガムまたは任意の類似の製剤の１個を服用する投与計画を用いることを特徴とする、アルコールフラッシング反応およびアルコール誘発性過敏反応の予防および治療における使用のための請求項１０に記載の製剤。
【請求項１２】
アルコール、あるいはアルコールおよび/またはアセトアルデヒドを含む疑いのある飲料または食品を摂取した直後に、2〜3mgのL-システインを含有するもう１つの遅延L-システイン放出ロゼンジ、チューインガムまたは任意の類似の製剤を服用することを特徴とする、アルコールフラッシング反応およびアルコール誘発性過敏反応の予防および治療における使用のための請求項１０または１１に記載の製剤。
【請求項１３】
アルコールフラッシング反応、ならびにアレルギー性鼻炎(花粉症)、アレルギー性結膜炎、アトピー性皮膚炎、好酸球性食道炎、アナフィラキシー、慢性気管支炎および慢性閉塞性肺疾患(COPD)から選ばれるアルコール誘発性過敏反応の予防のためのシステイン放出医薬製剤。
【請求項１４】
飲み込むか、舐めるか、または噛むことにより、アセトアルデヒド結合物質を消化管に導入することによって、L-システインがアセトアルデヒドと結合し、それを不活性化させることを特徴とする、消化管において局所的に形成されたアセトアルデヒドのヒスタミン放出作用を防止するための遅延L-システイン放出製剤。
【請求項１５】
飲酒20分前に、50〜200mgのL-システインを含有する遅延L-システイン放出カプセルの1〜2個を飲み込むこと；および飲酒が継続する間、1〜2時間間隔で、そのような服用を繰り返すこと；を特徴とする、請求項１４に記載の製剤。
【請求項１６】
アルコールの摂取の直前に、2〜3mgのL-システインを含有する遅延L-システイン放出ロゼンジ、チューインガムまたは任意の類似の製剤の1個を舐めるか、または噛むことを特徴とする、請求項１４に記載の製剤。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
消毒剤濃縮物である過酸化水素組成物であって、
濃縮物全体の約2〜約8重量パーセントの過酸化水素の濃度をもたらす過酸化水素供給源、
濃縮物全体の約1〜約20重量パーセントの非界面活性剤の有機スルホン酸又はその塩、及び
非イオン性界面活性剤
を含み、
スルホン酸ベースのアニオン性界面活性剤を含まない、
過酸化水素組成物。
【請求項２】
即時使用可能な消毒剤溶液である過酸化水素組成物であって、
溶液全体の約0.05〜約5.0重量パーセントの殺生物量の過酸化水素、
非界面活性剤の有機スルホン酸又はその塩、
非イオン性界面活性剤、及び
水
を含み、
スルホン酸ベースのアニオン性界面活性剤を含まない、
過酸化水素組成物。
【請求項３】
非界面活性剤の有機スルホン酸が、C1〜C5アルキルスルホン酸、スルホン化C1〜C5カルボン酸、置換又は非置換芳香族スルホン酸、モノアルキルフェニルスルホン酸、ジアルキルフェニルスルホン酸、及びこれらの混合物(ここで、置換芳香族スルホン酸は、少なくとも1つのC1〜C3アルキル基によって置換されている)からなる群から選択される、請求項1又は2に記載の過酸化水素組成物。
【請求項４】
非界面活性剤の有機スルホン酸が、メタンスルホン酸、ベンゼンスルホン酸、トルエンスルホン酸、キシレンスルホン酸、エチルベンゼンスルホン酸、又はこれらの混合物からなる群から選択される、請求項3に記載の過酸化水素組成物。
【請求項５】
塩が、アルカリ金属塩、アルカリ土類金属塩、又はアンモニウム塩である、請求項1又は2に記載の過酸化水素組成物。
【請求項６】
非界面活性剤の有機スルホン酸以外の任意選択による酸を更に含む、請求項1又は2に記載の過酸化水素組成物。
【請求項７】
任意選択による酸が、鉱酸、リン酸、エチドロン酸、C1〜C8モノ、ジ又はトリカルボン酸、C1〜C8ヒドロキシルカルボン酸、置換又は非置換芳香族カルボン酸からなる群から選択されるカルボン酸、及びこれらの混合物である、請求項6に記載の過酸化水素組成物。
【請求項８】
非イオン性界面活性剤が、C8〜C14アルキル化ポリエチレングリコール、C8〜C14アルキル化ポリプロピレングリコール、ポリオキシエチレングリコールアルキルフェノールエーテル及びグルコシドアルキルエーテル、又はこれらの混合物である、請求項1又は2に記載の過酸化水素組成物。
【請求項９】
有機スルホン酸の濃度が、濃縮物全体の約2〜約15重量パーセントで存在し、非イオン性界面活性剤が、濃縮物全体の約0.5〜約8重量パーセントで存在する、請求項1に記載の消毒剤濃縮物である過酸化水素組成物。
【請求項１０】
過酸化水素供給源が、過酸化水素溶液、過炭酸ナトリウム、過炭酸カリウム、過ホウ酸ナトリウム及び過ホウ酸カリウム、過酸化水素尿素、これらの水和形態、又はこれらの混合物である、請求項1又は2に記載の過酸化水素組成物。
【請求項１１】
過酸化水素安定剤及び金属防食剤を、それぞれ濃縮物全体の約0.05〜約0.5重量パーセントの濃度で更に含む、請求項1に記載の消毒剤濃縮物である過酸化水素組成物。
【請求項１２】
粉末又は錠剤の形態の固体配合物である、請求項1に記載の消毒剤濃縮物である過酸化水素組成物。
【請求項１３】
非界面活性剤の有機スルホン酸が、溶液全体の約0.05〜約5.0重量パーセントであり、非イオン性界面活性剤が、溶液全体の約0.05〜約3.0重量パーセントである、請求項2に記載の即時使用可能な消毒剤溶液である過酸化水素組成物。
【請求項１４】
任意選択による酸を、溶液全体の約0.05〜約6.0重量パーセントで更に含む、請求項2に記載の即時使用可能な消毒剤溶液である過酸化水素組成物。
【請求項１５】
殺生物性第四級アンモニウム塩を、濃縮物全体の約0.1〜約10重量パーセントの量で更に含む、請求項1に記載の消毒剤濃縮物である過酸化水素組成物。
【請求項１６】
殺生物性第四級アンモニウム塩を、溶液の約0.1〜約5重量パーセントの量で含む、請求項2に記載の即時使用可能な消毒剤溶液である過酸化水素組成物。
【請求項１７】
約0.5〜約5重量パーセントの両性界面活性剤を更に含む、請求項1に記載の消毒剤濃縮物である過酸化水素組成物。
【請求項１８】
約0.5〜約5重量パーセントの両性界面活性剤を更に含む、請求項2に記載の即時使用可能な消毒剤溶液である過酸化水素組成物。
【請求項１９】
エタノール、プロパノール、ベンジルアルコール、フェノキシエタノール、イソプロパノール、ジエチレングリコールプロピルエーテル、エチレングリコールモノメチルエーテル、エチレングリコールモノエチルエーテル、エチレングリコールモノプロピルエーテル、エチレングリコールモノイソプロピルエーテル、エチレングリコールモノブチルエーテル、ジエチレングリコールモノメチルエーテル、ジエチレングリコールモノブチルエーテル、ジエチレングリコールモノエチルエーテル、ジエチレングリコールモノ-n-ブチルエーテル、エチレングリコールジメチルエーテル、エチレングリコールジエチルエーテル、エチレングリコールジブチルエーテル、プロピレングリコールn-ブチルエーテル、トリプロピレングリコールメチルエーテル、ジプロピレングリコールメチルエーテル、ジプロピレングリコールブチルエーテル、及びこれらの組合せからなる群から選択される水混和性有機溶媒を更に含む、請求項2に記載の即時使用可能な消毒剤溶液である過酸化水素組成物。
【請求項２０】
表面の微生物を消毒する方法であって、
前記表面と、請求項1〜19のいずれか一項に記載の過酸化水素組成物とを接触させるステップを含み、
ここで、前記表面を、表面上に位置する微生物の大部分を殺滅するのに有効な時間にわたって接触させる、前記方法。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
化学修飾された二本鎖核酸分子であって、
（ｉ）表１〜４中の配列から選択される配列に対して向けられているか、
（ｉｉ）表１〜４中の配列から選択される配列の少なくとも１２個の連続したヌクレオチドを含む配列に対して向けられているか、または、
（ｉｉｉ）表１〜４中の配列から選択される配列の少なくとも１２個の連続したヌクレオチドを含み、
任意に、sd-rxRNAであり、さらに任意に、該sd-rxRNAが、疎水性修飾され、および／または１または２以上の疎水性抱合体に連結されている、
前記化学修飾された二本鎖核酸分子。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
式（Ｉ）：
2017527567.tif 000001
の化合物またはそのＮ−オキシド、水和物、もしくは塩と、可溶化剤と、ｐＨ調整試薬とを含む製剤において、約１〜１０％（ｗ／ｖ）の式（Ｉ）の化合物および約４〜４０％（ｗ／ｖ）の可溶化剤を含むことを特徴とする製剤。
【請求項２】
請求項１に記載の製剤において、
ａ）約１０％（ｗ／ｖ）の式（Ｉ）の化合物、および／または
ｂ）約４０％（ｗ／ｖ）の可溶化剤
を含み、
任意選択により、前記可溶化剤がシクロデキストリンであり、
任意選択により、前記シクロデキストリンがヒドロキシプロピルベータデクスであることを特徴とする製剤。
【請求項３】
請求項１または２に記載の製剤において、約０．１〜５％（ｗ／ｖ）、約１〜２％（ｗ／ｖ）、約１〜１．８％（ｗ／ｖ）、または約１．５４〜１．７％（ｗ／ｖ）のｐＨ調整試薬を含むことを特徴とする製剤。
【請求項４】
請求項１乃至３の何れか１項に記載の製剤において、
ａ）前記ｐＨ調整試薬がクエン酸であり、任意選択により、前記クエン酸が無水クエン酸またはクエン酸一水和物であり、および／または
ｂ）前記製剤は等張試薬をさらに含み、任意選択により、前記等張試薬が塩化ナトリウムおよびデキストロースから選択されることを特徴とする製剤。
【請求項５】
請求項１乃至４の何れか１項に記載の製剤において、前記製剤のｐＨが約４．０〜８．０、約４．５〜７．０、または約５．０〜６．５に調整されることを特徴とする製剤。
【請求項６】
請求項１乃至５の何れか１項に記載の製剤において、前記製剤のｐＨが水酸化ナトリウムもしくは塩酸またはこれらの組み合わせを用いてさらに調製されることを特徴とする製剤。
【請求項７】
請求項１に記載の製剤において、水をさらに含むことを特徴とする製剤。
【請求項８】
請求項１に記載の製剤において、
ａ）約１．５〜１０％（ｗ／ｖ）の式（Ｉ）の化合物、約６〜４０％（ｗ／ｖ）の可溶化剤、および約０．２〜５％（ｗ／ｖ）のｐＨ調整試薬、または
ｂ）約１０％（ｗ／ｖ）の式（Ｉ）の化合物、約４０％（ｗ／ｖ）のヒドロキシプロピルベータデクス、および約１〜２％（ｗ／ｖ）のクエン酸、または
ｃ）約１．００％（ｗ／ｖ）の式（Ｉ）の化合物、約４．００％（ｗ／ｖ）のヒドロキシプロピルベータデクス、約０．１６８％（ｗ／ｖ）のクエン酸一水和物、および水
を含むことを特徴とする製剤。
【請求項９】
製剤を、それを必要としている被験者に投与することにより白血病を治療することにおける使用のための、請求項１乃至８の何れか１項に記載の製剤において、前記製剤が、少なくとも２０時間、少なくとも１日間、または少なくとも２、３、４、５、６、７、８、９、１０、１１、１２、１３、１４、２１、２８、３５、４２、４７、５６、もしくは６４日間にわたり連続的に投与されることを特徴とする製剤。
【請求項１０】
請求項９に記載の製剤において、
ａ）連続的な投与が休薬期間なしの投与を含む、および／または
ｂ）前記製剤が投与前に希釈されることを特徴とする製剤。
【請求項１１】
請求項９または１０に記載の製剤において、
ａ）前記製剤が２８日間以上にわたり連続的に投与される、または
ｂ）前記製剤が単位剤形であり、かつ少なくとも２０時間〜最長約１４日間にわたり連続的に投与されることを特徴とする製剤。
【請求項１２】
請求項９乃至１１の何れか１項に記載の製剤において、前記製剤が少なくとも３６、４５、５４、７０、８０、または９０ｍｇ／ｍ２／日の式（Ｉ）の化合物の用量で投与されることを特徴とする製剤。
【請求項１３】
請求項９乃至１２の何れか１項に記載の製剤において、
ａ）前記被験者が成人であり、および前記製剤が少なくとも９０ｍｇ／ｍ２／日の式（Ｉ）の化合物の用量で投与される、または
ｂ）前記被験者が生後１２か月以下の小児患者であり、および前記製剤が少なくとも４５ｍｇ／ｍ２／日の式（Ｉ）の化合物の用量で投与されることを特徴とする製剤。
【請求項１４】
請求項９乃至１３の何れか１項に記載の製剤において、前記白血病が慢性骨髄単球性白血病（ＣＭＭＬ）、急性骨髄性白血病（ＡＭＬ）、またはＭＬＬ遺伝子の再構成を特徴とする白血病であり、任意選択により、
ａ）前記ＭＬＬ遺伝子の再構成がＭＬＬ遺伝子１１ｑ２３の転座である、または
ｂ）前記ＭＬＬ遺伝子の再構成がＭＬＬ遺伝子の部分的な縦列重複である、または
ｃ）前記ＭＬＬ遺伝子の再構成が増大または逸脱したＤＯＴ１Ｌメチル化活性をもたらすことを特徴とする製剤。
【請求項１５】
請求項９乃至１４の何れか１項に記載の製剤において、
ａ）治療が、解熱、悪液質の解消、または皮膚白血病の解消を含む、および／または
ｂ）治療が、正常造血の回復をもたらすことを特徴とする製剤。